(57)【要約】【課題】  男性器の位置やズレを考慮することなく本格的な排尿を受け止め、かつ常に装着できて衆目に知られることなく排尿でき、しかも着脱も簡便で衛生的な使い捨ての排尿袋を提供すること。【解決手段】  水を通さない袋と、当該袋の内部に水溶性トイレットペーパーに包まれた高吸水性粉末ポリマー粉が封入され、かつ袋の着脱の簡便性に鑑み当該袋の開閉に使用する紐を備え、この紐の結び目の役割を担う厚紙が当該紐に備えられている男性用失禁フォロー袋を提供する【選択図】図１
2018143734.tif 000002
【特許請求の範囲】
【請求項１】
水を通さない袋の内部に、水溶性トイレットペーパーに包まれた高吸水性粉末ポリマー粉が備えられることを特徴とする男性用失禁フォロー袋
【請求項２】
袋の開閉のための紐を備え、紐に、紐の結び目の役割を果たすための厚紙が備えられていることを特徴とする請求項１に記載の男性用失禁フォロー袋
【発明の詳細な説明】
【技術分野】
【０００１】  本発明は、男性用失禁フォロー袋に関する
【背景技術】
【０００２】  通常の社会生活を営む上で、高齢化に伴い我慢できずに失禁する場合がある。この対策として例えば特許文献１のように吸収性物品をあてがうパッドが提案されている。
しかし、男性器が常にパッドの中央に位置しているとは限らず、尿を常にパッドで吸収できるとは限らない難点がある。しかも、本格的な排尿には不向きである。【０００３】  特許文献２のような尿漏れ対策パンツが提案されている。
しかし、排尿後に濡れたパンツを履き替えなくてはならない不便がある。しかも、履き替え場所がなければ、濡れたパンツのままでいなければならない難点がある。【０００４】  特許文献３によれば携帯用簡易排尿袋が提案されている
しかし、例えば観光バスの中などの公衆の面前で、男性器に排尿袋を装着することができず、必要なときに使うことができないという難点がある【０００５】  特許文献４によればパンツに排尿袋を常時セットできる工夫がなされている
しかし、パンツの外側に排尿袋をセツトするものであり、著しく外観が悪いという難点がある。しかも、常に当該パンツを着装していなければならないという不便さがある。【０００６】  特許文献５によれば排尿袋を下着の内側に貼り付ける方法が考案されている
しかし、強力な接着に重点を置けば簡易な取り外しは困難となり、簡易な取り外しに重点を置けば装着時に脱落する恐れが生じるという難点がある。【０００７】  特許文献６によれば、おむつを使って、排尿用パッドを装着させる方法が提案されている
しかし、おむつをするとウエストが太くなり、いつも着ているズボンが履けなくなる不便がある。また、排尿後に濡れたパッドを取り替えるためにオムツの着脱が必要になるという不便がある。
【先行技術文献】
【特許文献】
【０００８】
【特許文献１】特願２０１４−７０５９５公報
【特許文献２】特開２０１５−２０９６１２公報
【特許文献３】特開２０００−１８２公報
【特許文献４】特願２０１６−３６９８３公報
【特許文献５】特開２０１４−１８０５２５公報
【特許文献６】特願２０１５−１６０８２０公報
【発明の概要】
【発明が解決しようとする課題】
【０００９】  通常の社会生活を営む上で、トイレが混んでいたりトイレが見つからなかったりすることで、尿意を我慢できず失禁して恥ずかしい思いをする場合がある。
本発明は、このような恥ずかしい思いをしないようにすることを課題として、男性器の位置やズレを考慮することなく本格的な排尿を受け止め、かつ常に装着できて衆目に知られることなく排尿でき、なおかつ着脱も簡便な衛生的な使い捨ての排尿袋を提供することを目的とする。
【課題を解決するための手段】
【０００１０】  本発明の排尿袋は、水を通さない袋と、袋の開閉のための紐を備える【０００１１】  袋の中には、水溶性トイレットペーパーに包まれた高吸水性粉末ポリマー粉が備えられている【０００１２】  袋の開閉に使用する紐には、閉口を保持するための厚紙が備えられている
【発明の効果】
【００１３】  本発明の袋に陰茎及び陰嚢を挿入し、男性器の付け根部の所で紐を片絞りにして閉口することにより、身体に装着することができる。
これにより、排尿時に男性器の位置やズレを気にせず排尿が可能となる。
また、袋装着のために特別のパンツやおむつなどを用いる必要がない。
また、袋を常に装着して置けるので、衆人に知られることなく排尿が可能である。【０００１４】  排尿時には、瞬時に水溶性トイレットペーパーが尿を吸収する。と同時に梱包されている高吸水性粉末ポリマー粉が尿を吸収してゼリー状に変化する
尿がゼリー状に変わることで、尿が逆流して袋から遺漏することがないので清潔に使うことができる。【０００１５】  高吸水性粉末ポリマー粉を水溶性トイレットペーパーで梱包することによって粉塵化を防ぐことができる。これにより利便性、安全性が向上する。
蓋し、高吸水性粉末ポリマー粉黛は微細粉末であり、そのままの封入では微細粉末が粉塵化して男性器に附着したり尿道に入り込んだりする恐れもあり使い難く好ましくない。【０００１６】  充分な量の高吸水性粉末ポリマー粉を用意することで、本格的な排尿に対応することができる。
例えば、袋いっぱいの排尿があったとしても１００％受容して袋の外に漏れることがなく、衆人に知られることなく排尿が可能となる。【０００１７】  ゼリー状になった尿は、そのまま排尿袋とともに破棄できる。
使い捨て袋であり衛生的である。
袋の装着は簡易であり、パンツを着替えたり、パンツに袋を圧着させたりする必要がない。
【図面の簡単な説明】
【００１８】
【図１】袋の人体への装着状態が示された側面図である。
【図２】本発明の男性用失禁フォロー袋の正面図である。
【発明を実施するための形態】
【００１９】  以下、本発明の実施形態について図面に基づいて説明する。
【００２０】  図２平面図において、袋１の開閉口に紐２が備えられていることを示している
袋は、プラスチック袋（ポリエチレン、ポリプロピレン、ポリアミド（ナイロン）、ポリ塩化ビニル（塩ビ）ポリスチレン、ポリカーボネートなど）により形成されている。
大きさは、１４０ｍｍ〜１８０ｍｍ×１８０ｍｍ〜２００ｍｍ程度を標準とする。
紐は、合成繊維紐（ポリエチレン、ポリプロピレン、ポリアミド（ナイロン）、ポリ塩化ビニル（塩ビ）ポリスチレン、ポリカーボネート、ポリエステル、アクリルなど）
あるいは、天然繊維（綿・麻・毛など）を原料とする紐により形成されている。
【００２１】  また、図２平面図において、高吸水性粉末ポリマー粉を包んだ水溶性トイレットペーパー４が、袋１に封入されていることを示している
水溶性トイレットペーパーは、再生紙やパルプ１００％紙若しくはアウトドア用に製造された、シングル、ダブル、トリプル重ねのいずれかを使用して、キャンディ包み若しくは折畳む方法で粉黛を包んでいる。
【００２２】  封入される高吸水性粉末ポリマー粉は、１グラムで約５００ｃｃの水分を吸収ゼリー化できる。成人男子の１回の排尿量は、およそ５００ＣＣ以下であり、封入される高吸水性粉末ポリマー粉が２ｇ以上あれば、本格的な排尿にも対応することができる。
【００２３】  また、図２平面図において、紐には、閉口を保持するための厚紙が備えられていることを示している。
厚紙には、中央に小さな穴がそれぞれ独立して２個空けられている。
厚紙は、厚さ１〜３ｍｍ、１０〜３０ｍｍ×１０〜３０ｍｍ程度の大きさで円形、楕円形、正方形、長方形、いずれかの形状を有する、なお、円形以外の形では、角丸が好ましい。
【０００２４】  厚紙の２個穴に袋の紐を通すことで紐と穴との摩擦により厚紙は特定場所に止まる。つまり厚紙は紐の結び目の役割を果たすことができる。
この厚紙を移動することで、紐に結び目を作るよりも排尿袋の着脱が簡便に行われる。
【００２５】  図１側面図において、袋の人体への装着状態が示されている。
厚紙３によって閉口が保持され、袋１の脱落が防がれていることを示している。
【符号の説明】
【００２６】    １・・・袋
２・・・紐
３・・・厚紙
４・・・トイレットペーパー（キャンディ包形）
５・・・人体
６・・・男性器
７・・・脚
【図１】
2018143734.tif 000003
【図２】
2018143734.tif 000004